(57)【要約】【課題】  コピー前においては用紙表面が一様に見えるため潜像が識別されず、複写機にかけると大小の網点は濃淡が顕著となるので潜像が一目瞭然に認められ、かつ、文字潜像以外の部分は写らないようにした、低コストで作成可能な複写偽造防止印刷物を提供する。【解決手段】  網点よりなる潜像２と、同じく網点よりなる背景３とをオフセット印刷により印刷した複写偽造防止印刷物１において、潜像２の網点のデータ濃度を５から２０％、密度を７５から１００線／インチとし、背景３の網点のデータ濃度を５から２０％、密度を２００線／インチ以上として、背景３の網点のデータ濃度は、潜像２の網点のデータ濃度より薄い濃度としている。【選択図】  図１
0003221035.tif 000002
【実用新案登録請求の範囲】
【請求項１】
網点よりなる潜像と、同じく網点よりなる背景とをオフセット印刷により印刷した複写偽造防止印刷物において、
前記潜像の網点のデータ濃度を５から２０％、密度を７５から１００線／インチとし、背景の網点のデータ濃度を５から２０％、密度を２００線／インチ以上としたこと、
を特徴とする複写偽造防止印刷物。
【請求項２】
前記背景の網点のデータ濃度は、前記潜像の網点のデータ濃度より薄い濃度であること、
を特徴とする請求項１に記載の複写偽造防止印刷物。
【請求項３】
網点よりなる潜像と、同じく網点よりなる背景とをオフセット印刷により印刷した複写偽造防止印刷物において、
前記潜像の網点のデータ濃度を１０％、密度を７５から１２５線／インチとし、
前記背景の網点のデータ濃度を５％、密度を２５０線／インチとしたこと、
を特徴とする複写偽造防止印刷物。
【請求項４】
網点よりなる潜像と、同じく網点よりなる背景とをオフセット印刷により印刷した複写偽造防止印刷物において、
前記潜像の網点のデータ濃度を１０％、密度を７５から１００線／インチとし、
前記背景の網点のデータ濃度を７％、密度を２５０線／インチとしたこと、
を特徴とする複写偽造防止印刷物。
【請求項５】
網点よりなる潜像と、同じく網点よりなる背景とをオフセット印刷により印刷した複写偽造防止印刷物において、
前記潜像の網点のデータ濃度を１５％、密度を７５から１００線／インチとし、
前記背景の網点のデータ濃度を８から９％、密度を２５０線／インチとしたこと、
を特徴とする複写偽造防止印刷物。
【請求項６】
網点よりなる潜像と、同じく網点よりなる背景とをオフセット印刷により印刷した複写偽造防止印刷物において、
前記潜像の網点のデータ濃度を２０％、密度を７５から１００線／インチとし、
前記背景の網点のデータ濃度を１２から１４％、密度を２５０線／インチとしたこと、
を特徴とする複写偽造防止印刷物。
【請求項７】
前記潜像の網点のデータ濃度及び密度の数値が、前記背景の網点のデータ濃度及び密度の数値であり、前記背景の網点のデータ濃度及び密度の数値が、前記潜像の網点のデータ濃度及び密度の数値であること、
を特徴とする請求項１から６までのいずれか１項に記載の複写偽造防止印刷物。
【考案の詳細な説明】
【技術分野】
【０００１】
本考案は、複写機を用いて複写を行った際にコピー紙上に潜像が浮かび上がり、機密書類その他の重要書類の偽造を防止する複写偽造防止印刷物に関する。  
【背景技術】
【０００２】
機密書類や有価証券・公文書等の重要書類が複写機で変造・偽造されるのを防止するために、大きな網点は複写機で再現されるが小さな網点は再現されないという原理を利用して、用紙表面に微細な網点で文字潜像を印刷し、文字潜像以外の背景部を前記網点とは異なる大きさの網点で印刷した技術がある（例えば特許文献１、２）。
【先行技術文献】
【特許文献】
【０００３】
【特許文献１】実開平０６−７１１５６
【特許文献２】特開平１０−１５７２７６
【０００４】
上記特許文献１では、基材上に形成した第１の潜像部の潜像を１５０線１０％程度の網点で印刷し、上記潜像の周囲の背景を６０線１０％程度の網点で印刷し、更に、上記第１の潜像部に隣接する第２の潜像部の潜像を６０線１０％程度の網点で印刷し、その周囲の背景を１５０線１０％程度の網点で形成したコピー防止技術が提案されている。
【０００５】
また、上記特許文献２では、潜像の網点の濃度を５から１０％、網点の密度を１７０から２００線／インチとし、背景の網点の濃度を１０から２０％、点の大きさを０．１７９から０．１８９ｍｍとしたコピー偽造防止シートが提案されている。
【０００６】
しかしながら、近年のコピー機の発達に伴って、コピー機が高性能化し、上記数値の線数や濃度により構成される網点の違いを利用したコピー防止技術の効果は低下している。
【０００７】
また、特許文献１では、潜像の濃度と、それ以外の部分の濃度とが１０％と同じであるが、線数が多くなればなるほど、ドッドゲインの発生により実際の濃度より濃く印刷されてしまうため、同一の濃度になることはなく、コピーした際に潜像以外の部分が写ってしまうことがある。
【考案の概要】
【考案が解決しようとする課題】
【０００８】
本考案は上記従来のコピー防止技術の有する課題を解決するもので、コピー前においては用紙表面が一様に見えるため潜像が識別されず、複写機にかけると大小の網点は濃淡が顕著となるので潜像が一目瞭然に認められ、かつ、文字潜像以外の部分が写らないようにした、低コストで作成可能な複写偽造防止印刷物を提供するものである。
【課題を解決するための手段】
【０００９】
上記解題を解決するために、本考案に係る複写偽造防止印刷物の第１の特徴は、網点よりなる潜像と、同じく網点よりなる背景とをオフセット印刷により印刷した複写偽造防止印刷物において、前記潜像の網点のデータ濃度を５から２０％、密度を７５から１００線／インチとし、背景の網点のデータ濃度を５から２０％、密度を２００線／インチ以上としたことにある。
【００１０】
また、本考案に係る複写偽造防止印刷物の第２の特徴は、前記背景の網点のデータ濃度が、前記潜像の網点のデータ濃度より薄い濃度であることにある。
【００１１】
さらに、本考案に係る複写偽造防止印刷物の第３の特徴は、網点よりなる潜像と、同じく網点よりなる背景とをオフセット印刷により印刷した複写偽造防止印刷物において、前記潜像の網点のデータ濃度を１０％、密度を７５から１２５線／インチとし、前記背景の網点のデータ濃度を５％、密度を２５０線／インチとしたことにある。
【００１２】
さらにまた、本考案に係る複写偽造防止印刷物の第４の特徴は、網点よりなる潜像と、同じく網点よりなる背景とをオフセット印刷により印刷した複写偽造防止印刷物において、前記潜像の網点のデータ濃度を１０％、密度を７５から１００線／インチとし、前記背景の網点のデータ濃度を７％、密度を２５０線／インチとしたことにある。
【００１３】
また、本考案に係る複写偽造防止印刷物の第５の特徴は、網点よりなる潜像と、同じく網点よりなる背景とをオフセット印刷により印刷した複写偽造防止印刷物において、前記潜像の網点のデータ濃度を１５％、密度を７５から１００線／インチとし、前記背景の網点のデータ濃度を８から９％、密度を２５０線／インチとしたことにある。
【００１４】
さらに、本考案に係る複写偽造防止印刷物の第６の特徴は、網点よりなる潜像と、同じく網点よりなる背景とをオフセット印刷により印刷した複写偽造防止印刷物において、前記潜像の網点のデータ濃度を２０％、密度を７５から１００線／インチとし、前記背景の網点のデータ濃度を１２から１４％、密度を２５０線／インチとしたことにある。
【００１５】
さらにまた、本考案に係る複写偽造防止印刷物の第７の特徴は、前記第１から第６の特徴における前記潜像の網点のデータ濃度及び密度の数値が、前記背景の網点のデータ濃度及び密度の数値であり、前記背景の網点のデータ濃度及び密度の数値が、前記潜像の網点のデータ濃度及び密度の数値であることにある。
【考案の効果】
【００１６】
本考案によれば、原紙上では潜像が背景の中に埋没し、背景との識別が肉眼では非常に困難である一方、そのコピーでは潜像文字のみが浮き出て背景と明確に区別可能となる。また、特殊なインクを用いる必要がなく、通常の印刷用のスミインクで足りるので、スミ一色印刷やカラー印刷時に潜像を背景と同時に原紙に印刷することができ、通常の印刷と変わらないコストで様々な種類の紙で複写偽造防止印刷物を作成することが可能となる。
【図面の簡単な説明】
【００１７】
【図１】図１は本考案に係る複写偽造防止印刷物の平面図であり、文字潜像の状態をわかりやすくした説明図である。
【図２】図２は本考案に係る複写偽造防止印刷物をコピーした場合の平面図である。
【考案を実施するための形態】
【００１８】
以下、図を参照して、本考案の実施形態を説明する。
【実施例１】
【００１９】
図１は、オフセット印刷で印刷された原紙１の表面に網点の文字潜像２及び背景３が施してあることを説明するものであり、具体的には文字潜像として「ＣＯＰＹ」の文字が印刷されている。また、背景３には文字潜像２より小さな網点が施されている。図１では、説明の便宜上、原紙上の「ＣＯＰＹ」の文字潜像２がはっきりと分かるように記載されているが、実際はそれらの文字潜像２と背景３との境界は識別することが困難であり、文字潜像２は背景３の中に埋没している。
【００２０】
文字潜像２を背景３の中に埋没させ、文字潜像２と背景３とを肉眼では区別できないようにするためには、文字潜像２及び背景３の網点の異なる濃度及び密度（線数）の組み合わせが重要であり、本考案はその点に鑑みてなされたものである。以下、それぞれの網点の線数及び密度の具体的な組み合わせについて説明する。
【００２１】
本考案では、背景３は、網点の密度を２００線／インチ以上とし、より好ましくは２５０／インチを用いる。また、網点の濃度は、密度が２５０線／インチにおいて、コピー機では読み取りにくく、肉眼では確認しやすい５から２０％程度が好適である。また、文字潜像２の濃度も、背景３の濃度と合わせて文字潜像２を識別しにくくするため、背景３の濃度と同様に５から２０％とする。
【００２２】
文字潜像２と背景３とは、濃度が同じになるのが望ましいが、オフセット印刷時に発生するドッドゲインが原因で、同じデータ濃度で印刷しようとすると、実際には同じ濃度にはならず、密度が高くなるに従って濃く印刷されてしまう。従って、背景３のデータ濃度は、文字潜像２のデータ濃度よりも薄くし、実際に印刷された際は同程度の濃度になるように調節する。
【実施例２】
【００２３】
実施例２から実施例５は、実施例１の数値をより限定かつ具体的にしたもので、実験結果より最適と思われる例を示したものである。すなわち、実施例２では、文字潜像２の網点のデータ濃度を１０％、密度を７５から１２５線／インチとし、背景３の網点のデータ濃度を５％、密度を２５０線／インチとする。
【実施例３】
【００２４】
また、実施例３では、文字潜像２の網点のデータ濃度を１０％、密度を７５から１００線／インチとし、背景３の網点のデータ濃度を７％、密度を２５０線／インチとする。
【実施例４】
【００２５】
さらに、実施例４では、文字潜像２の網点のデータ濃度を１５％、密度を７５から１００線／インチとし、背景３の網点のデータ濃度を８から９％、密度を２５０線／インチとする。
【実施例５】
【００２６】
さらにまた、実施例５では、文字潜像２の網点のデータ濃度を２０％、密度を７５から１００線／インチとし、背景３の網点のデータ濃度を１２から１４％、密度を２５０線／インチとする。
【００２７】
上記のような文字潜像２と背景３の網点のデータ濃度及び密度の数値（パターン）により構成された複写偽造防止印刷物は、文字潜像２が背景３の中に埋没して、注意深く観察しても背景３との識別が困難であり、違和感なく自然な感じに仕上ることができ体裁がよい。一方で、図２にあるように、複写すると大小の網点の差は顕著に現れるので文字潜像は浮かび上がり、用紙がコピーされたものであることが一目瞭然となり、偽造による不正使用を未然に防止することができる。
【００２８】
なお、文字潜像２と背景３の網点のデータ濃度及び密度の数値は、互いに入れ替わってもよい。このように構成した場合、背景３が複写され、文字潜像２は複写されず、白抜きの文字の像があらわれ、結果として上記各実施例と同様の効果を得ることができる。
【産業上の利用可能性】
【００２９】
本考案は、印刷できるものであれば、紙以外のものに対しても応用可能で、例えば定期券やクレジットカードの印刷などにも使用することができる。
【符号の説明】
【００３０】
１    複写偽造防止印刷物
２    文字潜像
３    背景
【図１】
0003221035.tif 000003
【図２】
0003221035.tif 000004
【手続補正書】
【提出日】平成31年2月28日(2019.2.28)
【手続補正１】
【補正対象書類名】実用新案登録請求の範囲
【補正対象項目名】全文
【補正方法】変更
【補正の内容】
【実用新案登録請求の範囲】
【請求項１】
網点よりなる潜像と、同じく網点よりなる背景とをオフセット印刷により印刷した複写偽造防止印刷物において、
前記潜像の網点のデータ濃度を５から２０％、密度を７５から１００線／インチとし、背景の網点のデータ濃度を５から２０％、密度を２００線／インチ以上としたこと、
を特徴とする複写偽造防止印刷物。
【請求項２】
前記背景の網点のデータ濃度は、前記潜像の網点のデータ濃度より薄い濃度であること、
を特徴とする請求項１に記載の複写偽造防止印刷物。
【請求項３】
網点よりなる潜像と、同じく網点よりなる背景とをオフセット印刷により印刷した複写偽造防止印刷物において、
前記潜像の網点のデータ濃度を１０％、密度を７５から１２５線／インチとし、
前記背景の網点のデータ濃度を５％、密度を２５０線／インチとしたこと、
を特徴とする複写偽造防止印刷物。
【請求項４】
網点よりなる潜像と、同じく網点よりなる背景とをオフセット印刷により印刷した複写偽造防止印刷物において、
前記潜像の網点のデータ濃度を１０％、密度を７５から１００線／インチとし、
前記背景の網点のデータ濃度を７％、密度を２５０線／インチとしたこと、
を特徴とする複写偽造防止印刷物。
【請求項５】
網点よりなる潜像と、同じく網点よりなる背景とをオフセット印刷により印刷した複写偽造防止印刷物において、
前記潜像の網点のデータ濃度を１５％、密度を７５から１００線／インチとし、
前記背景の網点のデータ濃度を８から９％、密度を２５０線／インチとしたこと、
を特徴とする複写偽造防止印刷物。
【請求項６】
網点よりなる潜像と、同じく網点よりなる背景とをオフセット印刷により印刷した複写偽造防止印刷物において、
前記潜像の網点のデータ濃度を２０％、密度を７５から１００線／インチとし、
前記背景の網点のデータ濃度を１２から１４％、密度を２５０線／インチとしたこと、
を特徴とする複写偽造防止印刷物。
【請求項７】
網点よりなる潜像と、同じく網点よりなる背景とをオフセット印刷により印刷した複写偽造防止印刷物において、
前記潜像の網点のデータ濃度を５から２０％、密度を２００線／インチ以上とし、背景の網点のデータ濃度を５から２０％、密度を７５から１００線／インチとしたこと、
を特徴とする複写偽造防止印刷物。
【請求項８】
前記潜像の網点のデータ濃度は、前記背景の網点のデータ濃度より薄い濃度であること、
を特徴とする請求項７に記載の複写偽造防止印刷物。
【請求項９】
網点よりなる潜像と、同じく網点よりなる背景とをオフセット印刷により印刷した複写偽造防止印刷物において、
前記潜像の網点のデータ濃度を５％、密度を２５０線／インチとし、
前記背景の網点のデータ濃度を１０％、密度を７５から１２５線／インチとしたこと、
を特徴とする複写偽造防止印刷物。
【請求項１０】
網点よりなる潜像と、同じく網点よりなる背景とをオフセット印刷により印刷した複写偽造防止印刷物において、
前記潜像の網点のデータ濃度を７％、密度を２５０線／インチとし、
前記背景の網点のデータ濃度を１０％、密度を７５から１００線／インチとしたこと、
を特徴とする複写偽造防止印刷物。
【請求項１１】
網点よりなる潜像と、同じく網点よりなる背景とをオフセット印刷により印刷した複写偽造防止印刷物において、
前記潜像の網点のデータ濃度を８から９％、密度を２５０線／インチとし、
前記背景の網点のデータ濃度を１５％、密度を７５から１００線／インチとしたこと、
を特徴とする複写偽造防止印刷物。
【請求項１２】
網点よりなる潜像と、同じく網点よりなる背景とをオフセット印刷により印刷した複写偽造防止印刷物において、
前記潜像の網点のデータ濃度を１２から１４％、密度を２５０線／インチとし、
前記背景の網点のデータ濃度を２０％、密度を７５から１００線／インチとしたこと、
を特徴とする複写偽造防止印刷物。
【手続補正２】
【補正対象書類名】明細書
【補正対象項目名】全文
【補正方法】変更
【補正の内容】
【考案の詳細な説明】
【技術分野】
【０００１】
本考案は、複写機を用いて複写を行った際にコピー紙上に潜像が浮かび上がり、機密書類その他の重要書類の偽造を防止する複写偽造防止印刷物に関する。  
【背景技術】
【０００２】
機密書類や有価証券・公文書等の重要書類が複写機で変造・偽造されるのを防止するために、大きな網点は複写機で再現されるが小さな網点は再現されないという原理を利用して、用紙表面に微細な網点で文字潜像を印刷し、文字潜像以外の背景部を前記網点とは異なる大きさの網点で印刷した技術がある（例えば特許文献１、２）。
【先行技術文献】
【特許文献】
【０００３】
【特許文献１】実開平０６−７１１５６
【特許文献２】特開平１０−１５７２７６
【０００４】
上記特許文献１では、基材上に形成した第１の潜像部の潜像を１５０線１０％程度の網点で印刷し、上記潜像の周囲の背景を６０線１０％程度の網点で印刷し、更に、上記第１の潜像部に隣接する第２の潜像部の潜像を６０線１０％程度の網点で印刷し、その周囲の背景を１５０線１０％程度の網点で形成したコピー防止技術が提案されている。
【０００５】
また、上記特許文献２では、潜像の網点の濃度を５から１０％、網点の密度を１７０から２００線／インチとし、背景の網点の濃度を１０から２０％、点の大きさを０．１７９から０．１８９ｍｍとしたコピー偽造防止シートが提案されている。
【０００６】
しかしながら、近年のコピー機の発達に伴って、コピー機が高性能化し、上記数値の線数や濃度により構成される網点の違いを利用したコピー防止技術の効果は低下している。
【０００７】
また、特許文献１では、潜像の濃度と、それ以外の部分の濃度とが１０％と同じであるが、線数が多くなればなるほど、ドッドゲインの発生により実際の濃度より濃く印刷されてしまうため、同一の濃度になることはなく、コピーした際に潜像以外の部分が写ってしまうことがある。
【考案の概要】
【考案が解決しようとする課題】
【０００８】
本考案は上記従来のコピー防止技術の有する課題を解決するもので、コピー前においては用紙表面が一様に見えるため潜像が識別されず、複写機にかけると大小の網点は濃淡が顕著となるので潜像が一目瞭然に認められ、かつ、文字潜像以外の部分が写らないようにした、低コストで作成可能な複写偽造防止印刷物を提供するものである。
【課題を解決するための手段】
【０００９】
上記解題を解決するために、本考案に係る複写偽造防止印刷物の第１の特徴は、網点よりなる潜像と、同じく網点よりなる背景とをオフセット印刷により印刷した複写偽造防止印刷物において、前記潜像の網点のデータ濃度を５から２０％、密度を７５から１００線／インチとし、背景の網点のデータ濃度を５から２０％、密度を２００線／インチ以上としたことにある。
【００１０】
また、本考案に係る複写偽造防止印刷物の第２の特徴は、前記背景の網点のデータ濃度が、前記潜像の網点のデータ濃度より薄い濃度であることにある。
【００１１】
さらに、本考案に係る複写偽造防止印刷物の第３の特徴は、網点よりなる潜像と、同じく網点よりなる背景とをオフセット印刷により印刷した複写偽造防止印刷物において、前記潜像の網点のデータ濃度を１０％、密度を７５から１２５線／インチとし、前記背景の網点のデータ濃度を５％、密度を２５０線／インチとしたことにある。
【００１２】
さらにまた、本考案に係る複写偽造防止印刷物の第４の特徴は、網点よりなる潜像と、同じく網点よりなる背景とをオフセット印刷により印刷した複写偽造防止印刷物において、前記潜像の網点のデータ濃度を１０％、密度を７５から１００線／インチとし、前記背景の網点のデータ濃度を７％、密度を２５０線／インチとしたことにある。
【００１３】
また、本考案に係る複写偽造防止印刷物の第５の特徴は、網点よりなる潜像と、同じく網点よりなる背景とをオフセット印刷により印刷した複写偽造防止印刷物において、前記潜像の網点のデータ濃度を１５％、密度を７５から１００線／インチとし、前記背景の網点のデータ濃度を８から９％、密度を２５０線／インチとしたことにある。
【００１４】
さらに、本考案に係る複写偽造防止印刷物の第６の特徴は、網点よりなる潜像と、同じく網点よりなる背景とをオフセット印刷により印刷した複写偽造防止印刷物において、前記潜像の網点のデータ濃度を２０％、密度を７５から１００線／インチとし、前記背景の網点のデータ濃度を１２から１４％、密度を２５０線／インチとしたことにある。
【００１５】
さらにまた、本考案に係る複写偽造防止印刷物の第７の特徴は、網点よりなる潜像と、同じく網点よりなる背景とをオフセット印刷により印刷した複写偽造防止印刷物において、前記潜像の網点のデータ濃度を５から２０％、密度を２００線／インチ以上とし、背景の網点のデータ濃度を５から２０％、密度を７５から１００線／インチとしたことにある。
【００１６】
また、本考案に係る複写偽造防止印刷物の第８の特徴は、前記第７の特徴における前記潜像の網点のデータ濃度が、前記背景の網点のデータ濃度より薄い濃度であることにある。
【００１７】
さらに、本考案に係る複写偽造防止印刷物の第９の特徴は、網点よりなる潜像と、同じく網点よりなる背景とをオフセット印刷により印刷した複写偽造防止印刷物において、前記潜像の網点のデータ濃度を５％、密度を２５０線／インチとし、前記背景の網点のデータ濃度を１０％、密度を７５から１２５線／インチとしたことにある。
【００１８】
さらにまた、本考案に係る複写偽造防止印刷物の第１０の特徴は、網点よりなる潜像と、同じく網点よりなる背景とをオフセット印刷により印刷した複写偽造防止印刷物において、前記潜像の網点のデータ濃度を７％、密度を２５０線／インチとし、前記背景の網点のデータ濃度を１０％、密度を７５から１００線／インチとしたことにある。
【００１９】
また、本考案に係る複写偽造防止印刷物の第１１の特徴は、網点よりなる潜像と、同じく網点よりなる背景とをオフセット印刷により印刷した複写偽造防止印刷物において、前記潜像の網点のデータ濃度を８から９％、密度を２５０線／インチとし、前記背景の網点のデータ濃度を１５％、密度を７５から１００線／インチとしたことにある。
【００２０】
さらにまた、本考案に係る複写偽造防止印刷物の第１２の特徴は、網点よりなる潜像と、同じく網点よりなる背景とをオフセット印刷により印刷した複写偽造防止印刷物において、前記潜像の網点のデータ濃度を１２から１４％、密度を２５０線／インチとし、前記背景の網点のデータ濃度を２０％、密度を７５から１００線／インチとしたことにある。
【考案の効果】
【００２１】
本考案によれば、原紙上では潜像が背景の中に埋没し、背景との識別が肉眼では非常に困難である一方、そのコピーでは潜像文字のみが浮き出て背景と明確に区別可能となる。また、特殊なインクを用いる必要がなく、通常の印刷用のスミインクで足りるので、スミ一色印刷やカラー印刷時に潜像を背景と同時に原紙に印刷することができ、通常の印刷と変わらないコストで様々な種類の紙で複写偽造防止印刷物を作成することが可能となる。
【図面の簡単な説明】
【００２２】
【図１】図１は本考案に係る複写偽造防止印刷物の平面図であり、文字潜像の状態をわかりやすくした説明図である。
【図２】図２は本考案に係る複写偽造防止印刷物をコピーした場合の平面図である。
【考案を実施するための形態】
【００２３】
以下、図を参照して、本考案の実施形態を説明する。
【実施例１】
【００２４】
図１は、オフセット印刷で印刷された原紙１の表面に網点の文字潜像２及び背景３が施してあることを説明するものであり、具体的には文字潜像として「ＣＯＰＹ」の文字が印刷されている。また、背景３には文字潜像２より小さな網点が施されている。図１では、説明の便宜上、原紙上の「ＣＯＰＹ」の文字潜像２がはっきりと分かるように記載されているが、実際はそれらの文字潜像２と背景３との境界は識別することが困難であり、文字潜像２は背景３の中に埋没している。
【００２５】
文字潜像２を背景３の中に埋没させ、文字潜像２と背景３とを肉眼では区別できないようにするためには、文字潜像２及び背景３の網点の異なる濃度及び密度（線数）の組み合わせが重要であり、本考案はその点に鑑みてなされたものである。以下、それぞれの網点の線数及び密度の具体的な組み合わせについて説明する。
【００２６】
本考案では、背景３は、網点の密度を２００線／インチ以上とし、より好ましくは２５０／インチを用いる。また、網点の濃度は、密度が２５０線／インチにおいて、コピー機では読み取りにくく、肉眼では確認しやすい５から２０％程度が好適である。また、文字潜像２の濃度も、背景３の濃度と合わせて文字潜像２を識別しにくくするため、背景３の濃度と同様に５から２０％とする。
【００２７】
文字潜像２と背景３とは、濃度が同じになるのが望ましいが、オフセット印刷時に発生するドッドゲインが原因で、同じデータ濃度で印刷しようとすると、実際には同じ濃度にはならず、密度が高くなるに従って濃く印刷されてしまう。従って、背景３のデータ濃度は、文字潜像２のデータ濃度よりも薄くし、実際に印刷された際は同程度の濃度になるように調節する。
【実施例２】
【００２８】
実施例２から実施例５は、実施例１の数値をより限定かつ具体的にしたもので、実験結果より最適と思われる例を示したものである。すなわち、実施例２では、文字潜像２の網点のデータ濃度を１０％、密度を７５から１２５線／インチとし、背景３の網点のデータ濃度を５％、密度を２５０線／インチとする。
【実施例３】
【００２９】
また、実施例３では、文字潜像２の網点のデータ濃度を１０％、密度を７５から１００線／インチとし、背景３の網点のデータ濃度を７％、密度を２５０線／インチとする。
【実施例４】
【００３０】
さらに、実施例４では、文字潜像２の網点のデータ濃度を１５％、密度を７５から１００線／インチとし、背景３の網点のデータ濃度を８から９％、密度を２５０線／インチとする。
【実施例５】
【００３１】
さらにまた、実施例５では、文字潜像２の網点のデータ濃度を２０％、密度を７５から１００線／インチとし、背景３の網点のデータ濃度を１２から１４％、密度を２５０線／インチとする。
【００３２】
上記のような文字潜像２と背景３の網点のデータ濃度及び密度の数値（パターン）により構成された複写偽造防止印刷物は、文字潜像２が背景３の中に埋没して、注意深く観察しても背景３との識別が困難であり、違和感なく自然な感じに仕上ることができ体裁がよい。一方で、図２にあるように、複写すると大小の網点の差は顕著に現れるので文字潜像は浮かび上がり、用紙がコピーされたものであることが一目瞭然となり、偽造による不正使用を未然に防止することができる。
【００３３】
なお、文字潜像２と背景３の網点のデータ濃度及び密度の数値は、互いに入れ替わってもよい。このように構成した場合、背景３が複写され、文字潜像２は複写されず、白抜きの文字の像があらわれ、結果として上記各実施例と同様の効果を得ることができる。
【産業上の利用可能性】
【００３４】
本考案は、印刷できるものであれば、紙以外のものに対しても応用可能で、例えば定期券やクレジットカードの印刷などにも使用することができる。
【符号の説明】
【００３５】
１    複写偽造防止印刷物
２    文字潜像
３    背景